(57)【要約】【課題】  物品の吊下，取外しをワンタッチで行うことができるようにするとともに、構成部品を少なくして構造を簡易にし、コストダウンを図る。【解決手段】  互いに離間して対峙する一対の先端部２を有するとともに一対の先端部２を下にして吊下される本体１と、本体１の各先端部２に夫々互いに外周１１を対面させて吊下方向に直交する軸線Ｐを中心に回動可能に支持された一対のコマ１０と備え、一対のコマ１０を、コマ１０の外周１１間に物品Ｗを吊下方向下側から差込み可能且つコマ１０の外周１１間に差込まれた物品Ｗの自重により回動させられて物品Ｗを挾持可能に形成したクリップＣにおいて、本体１を、一部を切欠いたリング状に形成され互いに離間して対峙しコマ１０を支持する一対の先端部２を有した弾性変形可能なバネ部材３を備えて構成した。【選択図】  図１
2020185212.tif 000002
【特許請求の範囲】
【請求項１】
互いに離間して対峙する一対の先端部を有するとともに該一対の先端部を下にして吊下される本体と、該本体の各先端部に夫々互いに外周を対面させて吊下方向に直交する軸線を中心に回動可能に支持された一対のコマと備え、該一対のコマを、該コマの外周間に物品を吊下方向下側から差込み可能且つ該コマの外周間に差込まれた物品の自重により回動させられて該物品を挾持可能に形成したクリップにおいて、
上記本体を、一部を切欠いたリング状に形成され互いに離間して対峙し上記コマを支持する一対の先端部を有した弾性変形可能なバネ部材を備えて構成したことを特徴とするクリップ。
【請求項２】
上記一対のコマを、夫々、上記軸線に直交する平面から見て互いに鏡面対称の関係になる同一の大きさで同一形状に形成し、各コマの軸線同士を結んだ軸間線の距離をＬとしたとき、上記軸間線より上側で該各コマの外周が夫々互いに接触可能になるように、該各コマの外周に該コマの軸線からの距離Ｄが、（１／２）Ｌ＜Ｄになる長大区間を形成し、当該長大区間を除く所定区間を、Ｄ≦（１／２）Ｌになる長小区間としたことを特徴とする請求項１記載のクリップ。
【請求項３】
上記一対のコマを、夫々、上記軸線に直交する平面から見て回転対称形に形成し、上記軸線を該回転対称形の中心に位置させ、上記長大区間を等角度関係で複数設けたことを特徴とする請求項２記載のクリップ。
【請求項４】
上記各コマの長大区間の少なくとも互いに接触可能な部位を、該部位が上記軸間線より上側に位置した状態で、上側に行くに従い距離Ｄが漸次大きくなる弧面を有して形成したことを特徴とする請求項２または３記載のクリップ。
【請求項５】
上記コマの回動範囲を規制するストッパを設けたことを特徴とする請求項２乃至４何れかに記載のクリップ。
【請求項６】
上記コマに、上記バネ部材の先端部が臨み上記軸線が貫通する凹所を形成し、上記軸線に平行で上記凹所を形成する壁面を、上記バネ部材に当接して上記コマの回動範囲を規制するストッパとして構成したことを特徴とする請求項５記載のクリップ。
【請求項７】
上記本体を、上記バネ部材を一対備えて構成し、該各バネ部材を、同一の大きさで同一形状に形成するとともに、互いに軸線方向に沿って並設し、該一対のバネ部材の先端部間に上記コマを回動可能に支持したことを特徴とする請求項３乃至５何れかに記載のクリップ。
【請求項８】
上記一対のコマに、夫々、回動を付勢する錘を設けたことを特徴とする請求項１乃至７何れかに記載のクリップ。
【請求項９】
上記一対のコマの外周に、夫々、ローレットを形成したことを特徴とする請求項１乃至８何れかに記載のクリップ。
【請求項１０】
上記一対のコマの外周に、夫々、柔軟性の弾性部材からなり物品に弾接する複数の突条を突設したことを特徴とする請求項１乃至８何れかに記載のクリップ。
【請求項１１】
吊下される基体を備え、該基体に、上記請求項１乃至１０何れかに記載のクリップを複数吊下したことを特徴とする吊下具。
【発明の詳細な説明】
【技術分野】
【０００１】
本発明は、例えば、布や紙等の各種シートや被服等の比較的厚さの薄い物品を吊下して保持するクリップに係り、特に、物品を手で差込むだけで吊下できるようにしたクリップに関する。また、このクリップを複数用いた吊下具に関する。
【背景技術】
【０００２】
従来、この種のクリップとしては、例えば、特開２００６−１０２０２１号公報（特許文献１）に記載された技術が知られている。図１６に示すように、このクリップＣａは、物品Ｗとして衣服などを吊下する洗濯挟みであり、互いに離間して対峙する一対の先端部１０１を有するとともにこの一対の先端部１０１を下にして吊下される本体１００と、この本体１００の各先端部１０１に夫々互いに外周を対面させて吊下方向に直交する軸線Ｐを中心に回動可能に支持された一対のコマ１０２と備えて構成されている。一対のコマ１０２は、これらのコマ１０２の外周間に物品Ｗを吊下方向下側から差込み可能、且つ、コマ１０２の外周間に差込まれた物品Ｗの自重により回動させられて物品Ｗを挾持可能に形成されている。
【０００３】
具体的には、本体１００は、先端部１０１が互いに離間して対峙する対峙位置を基点として軸１０３を中心に互いに開閉可能な一対のレバー１０４を備えている。また、本体１００は、このレバー１０４を常時対峙位置側へ付勢するＣ字状のバネ部材１０５を備えている。一対のコマ１０２において、各コマ１０２の軸線Ｐより上側に位置するコマの外周には、コマ１０２の軸線Ｐからの距離が、各コマの軸線Ｐ同士を結んだ軸間線の距離の（１／２）よりも長い円弧面を有した扇型に形成されている。円弧面にはギヤの歯状の凹凸１０６が形成されている。また、本体１００の先端部１０１の内側には、コマ１０２の円弧面同士が係合する方向にコマ１０２を付勢する板バネ１０７が設けられている。また、バネ部材１０５には、本体１００を吊下する吊下部材１０８が設けられている。
【０００４】
そして、この洗濯挟みとしてのクリップＣａに、物品Ｗを吊下するときには、物品Ｗを、一対のコマ１０２の外周間に吊下方向下側から差込む。これにより、コマ１０２は板バネ１０７の付勢力に抗して回動するので、コマ１０２間に隙間が生じ、物品Ｗがコマ１０２の外周間に差込まれる。そして、手を放すと、物品Ｗの自重と板バネ１０７の付勢力により、コマ１０２が回動させられて物品Ｗを挾持する。そのため、ワンタッチで物品Ｗを吊下させることができる。
【０００５】
一方、物品ＷをクリップＣａから取外すときは、物品Ｗを持ち上げる。コマ１０２は板バネ１０７の付勢力に抗して回動するので、コマ１０２間に隙間が生じ、さらに物品Ｗを上に持ち上げることで、物品Ｗを取外すことができる。また、レバー１０４の上端同士を手で摘んでＣ字状のバネ部材１０５の付勢力に抗してレバー１０４の先端部１０１間を開くことによっても物品Ｗを取外すことができる。
【先行技術文献】
【特許文献】
【０００６】
【特許文献１】特開２００６−１０２０２１号公報
【発明の概要】
【発明が解決しようとする課題】
【０００７】
ところで、上記従来のクリップＳａにあっては、ワンタッチで物品Ｗを吊下させることができるが、本体１００は、バネ部材１０５で付勢されたレバー１０４を備えており、しかも、コマ１０２を付勢するバネ部材１０７も組み込んでいることから、構成部品が多く、構造も複雑になっており、高価なものになっているという問題があった。また、物品Ｗを取外す際には、物品Ｗを持ち上げるが、その場合には、本体１００を吊下する吊下部材１０８も外れ易くなるので、これを押さえなければならないことから、取外し作業が煩雑になるという問題もある。尚、この従来のクリップＣａにおいては、理論的には、物品Ｗを強制的に下に引くと、本体１００の先端部１０１には開く方向の力が作用するので、Ｃ字状のバネ部材１０５の付勢力に抗して本体１００の先端部１０１間が開くことから、これによっても、物品Ｗを取外すことができる。しかしながら、本体１００はレバー１０４を備えているので、レバー１０４に力が作用することから無理な力が係り破損しやすいという問題もある。
【０００８】
本発明はこのような問題点に鑑みて為されたもので、物品の吊下，取外しをワンタッチで行うことができるようにするとともに、構成部品を少なくして構造を簡易にし、コストダウンを図ったクリップ及びこれを用いた吊下具を提供することを目的とする。
【課題を解決するための手段】
【０００９】
このような目的を達成するための本発明のクリップは、互いに離間して対峙する一対の先端部を有するとともに該一対の先端部を下にして吊下される本体と、該本体の各先端部に夫々互いに外周を対面させて吊下方向に直交する軸線を中心に回動可能に支持された一対のコマと備え、該一対のコマを、該コマの外周間に物品を吊下方向下側から差込み可能且つ該コマの外周間に差込まれた物品の自重により回動させられて該物品を挾持可能に形成したクリップにおいて、
上記本体を、一部を切欠いたリング状に形成され互いに離間して対峙し上記コマを支持する一対の先端部を有した弾性変形可能なバネ部材を備えて構成している。
【００１０】
ここで、コマを回動可能に先端部に支持する構成としては、例えば、コマに軸線を有した軸体を設ける一方、バネ部材の先端部に軸体が挿通される軸受部を設ける構成を採用することができる。あるいは、バネ部材の先端部に軸線を有した軸体を設け、コマに軸体が挿通される軸受部を設ける構成を採用することができる。
【００１１】
この構成により、物品を吊下するときは、物品を、一対のコマの外周間に吊下方向下側から差込む。これにより、コマは回動してこの物品を受け入れ、物品がコマの外周間に差込まれる。そして、手を放すと、物品の自重により、コマが回動させられ、コマによって物品が挾持される。そのため、ワンタッチで物品を吊下させることができる。
【００１２】
一方、物品をクリップから取外すときは、物品を引っ張れば良い。この際、本体の先端部には開く方向の力が作用するが、本体自体がバネ部材で形成されているので、言い換えれば、本体自体がバネ部材で構成され、バネ部材は先端部が互いに離間して対峙する対峙位置を基点として弾性変形により拡開可能になっているので、本体の先端部自体がその付勢力に抗して開くことから、容易に物品を取外すことができる。この場合、コマに作用する力が直接的にバネ部材に作用するので、従来のように本体に無理な力がかかることがない。
【００１３】
これにより、本発明によれば、物品の吊下，取外しをワンタッチで行うことができる。また、本体自体をバネ部材で構成したので、従来に比較して、構成部材が少なくてすみ、構造を簡易にしてシンプルにし、コストダウンを図ることができる。
【００１４】
そして、必要に応じ、上記一対のコマを、夫々、上記軸線に直交する平面から見て互いに鏡面対称の関係になる同一の大きさで同一形状に形成し、各コマの軸線同士を結んだ軸間線の距離をＬとしたとき、上記軸間線より上側で該各コマの外周が夫々互いに接触可能になるように、該各コマの外周に該コマの軸線からの距離Ｄが、（１／２）Ｌ＜Ｄになる長大区間を形成し、当該長大区間を除く所定区間を、Ｄ≦（１／２）Ｌになる長小区間とした構成としている。コマを容易に作成することができる。
【００１５】
また、必要に応じ、上記一対のコマを、夫々、上記軸線に直交する平面から見て回転対称形に形成し、上記軸線を該回転対称形の中心に位置させ、上記長大区間を等角度関係で複数設けた構成としている。
【００１６】
この構成においては、コマを３６０°回転可能にすることができる。この場合には、物品を吊下するときは、物品を、一対のコマの外周間に吊下方向下側から差込む。これにより、一対のコマは、夫々、自在に回動して、コマ間の最も間隔の広くなる位置に移動し、物品を受け入れることができる。そして、手を放すと、物品の自重により、一対のコマは、夫々、自在に回動するが、コマとコマが互いに接触する位置側に移動するので、コマによって物品を挾持することができる。特に、物品を取外す際に、コマ同士が離間してコマが回転しても、各コマは回転対称形で互いに鏡面対称の関係にあるので、接触位置が異なってもコマ同士の相対的な配置関係を保持することができる。
【００１７】
更に、上記各コマの長大区間の少なくとも互いに接触可能な部位を、該部位が上記軸間線より上側に位置した状態で、上側に行くに従い距離Ｄが漸次大きくなる弧面を有して形成した構成としている。物品が自重により下がろうとしても、弧面が徐々に物品に食い込んでいくので、物品の挾持を確実にすることができる。
【００１８】
また、必要に応じ、上記コマの回動範囲を規制するストッパを設けた構成としている。コマが自在に回転することを規制できるので、姿勢を安定させて、物品の差込み引出しを確実に行わせることができる。特に、物品を取外す際に、コマ同士が離間しても回転が規制されるので、コマ同士の配置関係を保持することができる。この構成は、コマが軸線に対して回転対称に形成されない場合に有効であるが、コマが軸線に対して回転対称に形成されたものに適用しても良い。
【００１９】
この場合、上記コマに、上記バネ部材の先端部が臨み上記軸線が貫通する凹所を形成し、上記軸線に平行で上記凹所を形成する壁面を、上記バネ部材に当接して上記コマの回動範囲を規制するストッパとして構成したことが有効である。ストッパの構成を簡易にすることができ、この点でも、構成部材が少なくてすみ、構造を簡易にし、コストダウンを図ることができる。
【００２０】
また、必要に応じ、上記本体を、上記バネ部材を一対備えて構成し、該各バネ部材を、同一の大きさで同一形状に形成するとともに、互いに軸線方向に沿って並設し、該一対のバネ部材の先端部間に上記コマを回動可能に支持した構成としている。一対のバネ部材でコマを支持するので、支持が強固になる。この構成においては、上記のストッパを設けても良いが、ストッパを設けることなく、コマを３６０°回転可能にする場合に有効である。
【００２１】
また、必要に応じ、上記一対のコマに、夫々、回動を付勢する錘を設けた構成としている。ストッパを設ける場合には、錘は、各コマの挾持力が強くなる方向に回動するように付勢する位置に設けると良い。応答性を良くすることができる。
【００２２】
更に、必要に応じ、上記一対のコマの外周に、夫々、ローレットを形成した構成としている。ローレットとしては、例えば、斜めローレット，平目ローレット，綾目ローレットなどを挙げることができる。物品とコマとの摩擦抵抗を大きくすることができ、保持を確実にすることができる。
【００２３】
更にまた、必要に応じ、上記一対のコマの外周に、夫々、柔軟性の弾性部材からなり物品に弾接する複数の突条を突設した構成としている。これにより、柔軟性の複数の突条が物品に弾接するので、物品とコマとの摩擦抵抗を大きくすることができ、保持を確実にすることができる。
【００２４】
そして、上記課題を解決するための本発明の吊下具は、吊下される基体を備え、該基体に、上記のクリップを複数吊下した構成としている。複数のクリップで物品を保持できるので、保持を確実にすることができる。他の作用，効果は上記と同様である。
【発明の効果】
【００２５】
本発明によれば、物品の吊下，取外しをワンタッチで行うことができる。また、本体自体をバネ部材で構成したので、従来に比較して、構成部材が少なくてすみ、構造を簡易にしてシンプルにし、コストダウンを図ることができる。
【図面の簡単な説明】
【００２６】
【図１】本発明の第１の実施の形態に係るクリップを示す斜視図である。
【図２】本発明の第１の実施の形態に係るクリップを示し、（ａ）は正面図、（ｂ）は側面図である。
【図３】本発明の第１の実施の形態に係るクリップを示し、（ａ）はコマを一部切欠いて示す正面図、（ｂ）はコマを一部切欠いて示す側面図である。
【図４】本発明の第１の実施の形態に係るクリップの作用を示し、（ａ）は物品を挾持するときの状態を示す正面図、（ｂ）は物品を取外すときの状態を示す正面図である。
【図５】本発明の第２の実施の形態に係るクリップを示す斜視図である。
【図６】本発明の第２の実施の形態に係るクリップを示し、（ａ）は正面図、（ｂ）はコマを一部切欠いて示す側面図である。
【図７】本発明の第３の実施の形態に係るクリップを示す正面図である。
【図８】本発明の第４の実施の形態に係るクリップを示し、（ａ）は正面図、（ｂ）は平面図である。
【図９】本発明の第５の実施の形態に係るクリップを示し、（ａ）は正面図、（ｂ）は平面図である。
【図１０】本発明の実施の形態に係る吊下具を示す斜視図である。
【図１１】本発明の別の実施の形態に係る吊下具を示す斜視図である。
【図１２】本発明の実施の形態に係るクリップにおいて、本体の形態例を模式的に示す図（ａ）〜（ｆ）である。
【図１３】本発明の第１の実施の形態に係るクリップに関し、コマの形態例を模式的に示す図（ａ）〜（ｆ）である。
【図１４】本発明の第２及び第３の実施の形態に係るクリップに関し、コマの形態例を模式的に示す図（ａ）〜（ｃ）である。
【図１５】本発明の実施の形態に係るクリップにおいて、コマを本体に回動可能に支持する別の形態例を示す一部切欠き断面図（ａ）（ｂ）である。
【図１６】従来のクリップの一例を示す正面図である。
【発明を実施するための形態】
【００２７】
以下、添付図面に基づいて、本発明の実施の形態に係るクリップ及び吊下具を詳細に説明する。
図１乃至図４には、本発明の第１の実施の形態に係るクリップＣを示している。この第１の実施の形態に係るクリップＣは、衣類やタオル等の物品Ｗを挟む洗濯挟みとして構成されている。
【００２８】
第１の実施の形態に係るクリップＣは、互いに離間して対峙する一対の先端部２を有するとともに一対の先端部２を下にして吊下される本体１と、本体１の各先端部２に夫々互いに外周１１を対面させて吊下方向に直交する軸線Ｐを中心に回動可能に支持された一対のコマ１０と備えて構成されており、一対のコマ１０は、コマ１０の外周１１間に物品Ｗを吊下方向下側から差込み可能、且つ、このコマ１０の外周１１間に差込まれた物品Ｗの自重により回動させられて物品Ｗを挾持可能に形成されている。
【００２９】
詳しくは、本体１は、一部を切欠いたリング状に形成され、互いに離間して対峙しコマ１０を支持する一対の先端部２を有した弾性変形可能なバネ部材３で構成されている。即ち、バネ部材３は、先端部２が互いに離間して対峙する対峙位置（図４（ａ））を基点として弾性変形により拡開可能（図４（ｂ））になっている。バネ部材３は、例えば、断面直径が０．５ｍｍ〜６ｍｍで、外径が４０ｍｍ〜８０ｍｍの円形の金属製バネ材料を切欠いて構成されている。先端部２は、軸線Ｐに直交する平面を有した扁平状に形成されている。本体１には、本体１を吊下する例えば紐などの索体で構成される吊下部材４が付設されている。
【００３０】
一対のコマ１０は、夫々、軸線Ｐに直交する平面から見て互いに鏡面対称の関係になる同一の大きさで同一形状に形成されている。コマ１０は、例えば、ゴムやシリコーンを含む樹脂，金属，木材等種々の材料で形成することができる。実施の形態では、コマ１０は、厚さＴが、Ｔ＝５ｍｍ〜３０ｍｍ、最大長さＭが、Ｍ＝２５ｍｍ〜６０ｍｍの大きさで、軸線Ｐに直交する平面から見て略半月形状（船形）に形成されており、上面と弧面で囲繞されている。上面と弧面とが連接されるコーナー側に、厚さ方向の軸線Ｐを有している。また、各コマ１０は、各コマ１０の軸線Ｐ同士を結んだ軸間線Ｑの距離をＬとしたとき、軸間線Ｑより上側で各コマ１０の外周１１が夫々互いに接触可能になるように、各コマ１０の外周１１には、コマ１０の軸線Ｐからの距離Ｄが、（１／２）Ｌ＜Ｄになる長大区間Ｓａが形成され、長大区間Ｓａを除く所定区間が、Ｄ≦（１／２）Ｌになる長小区間Ｓｂとして形成されている。
【００３１】
各コマ１０の長大区間Ｓａの少なくとも互いに接触可能な部位は、この部位が軸間線Ｑより上側に位置した状態で、上側に行くに従い距離Ｄが漸次大きくなる弧面を有して形成されている。例えば、Ｌ＝３８ｍｍ，距離Ｄの最大Ｄｍを、Ｄｍ＝２３ｍｍにしている。
【００３２】
コマ１０には、バネ部材３の先端部２が臨み軸線Ｐが貫通する凹所１２が上面側から形成されている。図３に示すように、コマ１０には、軸線Ｐを有した軸体１３が設けられる一方、バネ部材３の先端部２には、軸体１３が挿通される軸受部１４が設けられている。軸体１３は、凹所１２内に架設されている。
【００３３】
また、一対のコマ１０には、図３に示すように、夫々、回動を付勢する錘１５が内装されている。錘１５は、各コマ１０の挾持力が強くなる方向に回動するように付勢する位置に設けると良い。応答性を良くすることができる。
【００３４】
更に、本クリップＣには、コマ１０の回動範囲を規制するストッパ１６が設けられている。実施の形態では、軸線Ｐに平行で凹所１２を形成する一対の壁面が、バネ部材３に当接してコマ１０の回動範囲を規制するストッパ１６として構成されている。先端部２よりも外側が、コマ１０の回動下端を規制する外側ストッパ１６ａとして構成され、先端部２より内側が、コマ１０の回動上端を規制する内側ストッパ１６ｂとして構成されている。ストッパ１６を凹所１２で構成したので、例えば、本体１にコマ１０に衝止する突起を設けてストッパを構成する場合に比較して、構成を簡易にすることができる。
【００３５】
更にまた、各コマ１０の外周１１には、夫々、ローレット１７が形成されている。例えば、ローレット１７としては、斜めローレットや平目ローレット、綾目ローレット等、適宜の形態が選択される。
【００３６】
従って、この第１の実施の形態に係り洗濯挟みとして構成されるクリップＣに、衣類やタオル等の物品Ｗを吊下するときは、図１及び図４（ａ）に示すように、物品Ｗを、一対のコマ１０の外周１１間に吊下方向下側から差込む。これにより、コマ１０は回動してこの物品Ｗを受け入れ、物品Ｗがコマ１０の外周１１間に差込まれる。そして、手を放すと、物品Ｗの自重により、コマ１０が回動させられ、コマ１０によって物品Ｗが挾持される。そのため、ワンタッチで物品Ｗを吊下させることができる。
【００３７】
この場合、各コマ１０の長大区間Ｓａの少なくとも互いに接触可能な部位が、軸間線Ｑより上側に位置した状態で、上側に行くに従い距離Ｄが漸次大きくなる弧面を有して形成されているので、物品Ｗが自重により下がろうとしても、弧面が徐々に物品Ｗに食い込んでいくことから、物品Ｗの挾持を確実にすることができる。コマ１０にはストッパ１６が設けられているので、自在に回転することを規制できることから、姿勢を安定させて、物品Ｗの差込みを確実に行わせることができる。また、コマ１０には回動を付勢する錘１５が内装されているので、物品Ｗを挾持する際の応答性がよく、また、錘１５は各コマ１０がその挾持力が強くなる方向に回動するように付勢するので、それだけ、挾持を確実にすることができる。更に、コマ１０の外周１１にローレット１７が形成されているので、物品Ｗとコマ１０との摩擦抵抗を大きくすることができ、物品Ｗの保持を確実にすることができる。
【００３８】
一方、物品ＷをクリップＣから取外すときは、図４（ｂ）に示すように、物品Ｗを引っ張れば良い。この際、本体１の先端部２には開く方向の力が作用するが、本体１自体がバネ部材３で形成されているので、言い換えれば、本体１自体がバネ部材３で構成され、バネ部材３は先端部２が互いに離間して対峙する対峙位置（図４（ａ））を基点として弾性変形により拡開可能になっているので、本体１の先端部２自体がその付勢力に抗して開くことから、容易に物品Ｗを取外すことができる。この場合、コマ１０に作用する力が直接的にバネ部材３に作用するので、従来のように本体１に無理な力がかかることがない。特に、物品Ｗを取外す際に、コマ１０同士が離間しても回転が規制されるので、コマ１０同士の配置関係を保持することができる。
【００３９】
これにより、第１の実施の形態に係るクリップＣによれば、物品Ｗの吊下，取外しをワンタッチで行うことができる。また、本体１自体をバネ部材３で構成したので、従来に比較して、構成部材が少なくてすみ、構造を簡易にしてシンプルにし、コストダウンを図ることができる。
【００４０】
次に、図５及び図６に示す本発明の第２の実施の形態に係るクリップＣについて説明する。この第２の実施の形態に係るクリップＣも、衣類やタオル等の物品Ｗを挟む洗濯挟みとして構成されている。
【００４１】
第２の実施の形態に係るクリップＣは、上記と同様に、互いに離間して対峙する一対の先端部２を有するとともに一対の先端部２を下にして吊下される本体１と、本体１の各先端部２に夫々互いに外周１１を対面させて吊下方向に直交する軸線Ｐを中心に回動可能に支持された一対のコマ１０と備えて構成されており、一対のコマ１０は、コマ１０の外周１１間に物品Ｗを吊下方向下側から差込み可能、且つ、このコマ１０の外周１１間に差込まれた物品Ｗの自重により回動させられて物品Ｗを挾持可能に形成されている。
【００４２】
詳しくは、本体１は、一部を切欠いたリング状に形成され、互いに離間して対峙しコマ１０を支持する一対の先端部２を有した弾性変形可能なバネ部材３を備えている。第２の実施の形態においては、本体１は、バネ部材３を一対備えて構成されている。各バネ部材３は、同一の大きさで同一形状に形成され、上記と同様に形成されている。また。各バネ部材３は、互いに軸線Ｐ方向に沿って並設されている。この一対のバネ部材３の先端部２間にコマ１０が回動可能に支持される。一対のバネ部材３でコマ１０を支持するので、支持が強固になる。
【００４３】
一対のコマ１０は、夫々、軸線Ｐに直交する平面から見て回転対称形に形成されており、軸線Ｐが、この回転対称形の中心に位置させられている。コマ１０は、上記と同様に、例えば、ゴムやシリコーンを含む樹脂，金属，木材等種々の材料で形成することができる。また、上記と同様に、各コマ１０は、各コマ１０の軸線Ｐ同士を結んだ軸間線Ｑの距離をＬとしたとき、軸間線Ｑより上側で各コマ１０の外周１１が夫々互いに接触可能になるように、各コマ１０の外周１１には、コマ１０の軸線Ｐからの距離Ｄが、（１／２）Ｌ＜Ｄになる長大区間Ｓａが形成され、長大区間Ｓａを除く所定区間が、Ｄ≦（１／２）Ｌになる長小区間Ｓｂとして形成されている。そして、この長大区間Ｓａは、等角度関係で複数設けられている。
【００４４】
詳しくは、一対のコマ１０を正多角形状に形成することができる。正多角形は、一辺が直線でも良く、曲線であっても良い。実施の形態では、ルーローの三角形で形成されている。これにより、長大区間Ｓａは、三角形の頂点の左右にまたがって形成され、等角度の１２０°間隔で設けられている。実施の形態では、コマ１０は、厚さＴが、Ｔ＝５ｍｍ〜３０ｍｍ、最大長さＭが、Ｍ＝２５ｍｍ〜６０ｍｍの大きさで、弧面で囲繞されている。即ち、上記と同様に、各コマ１０の長大区間Ｓａの少なくとも互いに接触可能な部位が、軸間線Ｑより上側に位置した状態で、上側に行くに従い距離Ｄが漸次大きくなる弧面を有して形成されている。例えば、Ｌ＝３５ｍｍ，距離Ｄの最大Ｄｍを、Ｄｍ＝２１ｍｍにしている。
【００４５】
一対のバネ部材３の先端部２間には、軸線Ｐに沿う軸体１３が架設されており、コマ１０の中心には軸体１３が回動可能に挿通され軸線Ｐに沿う軸受部１４が設けられている。これにより、コマ１０は、上記のようなストッパが設けられることなく、３６０°回転可能になっている。また、一対のコマ１０には、夫々、回動を付勢する錘（図示せず）を内装することができる。更にまた、各コマ１０の外周１１には、夫々、ローレット１７が形成されている。例えば、ローレット１７としては、斜めローレットや平目ローレット、綾目ローレット等、適宜の形態が選択される。
【００４６】
従って、この第２の実施の形態に係り洗濯挟みとして構成されるクリップＣに、衣類やタオル等の物品Ｗを吊下するときは、上記と同様に、物品Ｗを、一対のコマ１０の外周１１間に吊下方向下側から差込む。これにより、コマ１０は回動してこの物品Ｗを受け入れ、物品Ｗがコマ１０の外周１１間に差込まれる。この場合、コマ１０は、３６０°回転可能になっているので、一対のコマ１０は、夫々、自在に回動して、コマ１０間の最も間隔の広くなる位置に移動し、物品Ｗを受け入れることができる。そして、手を放すと、物品Ｗの自重により、一対のコマ１０は、夫々、自在に回動するが、コマ１０とコマ１０が互いに接触する位置側に移動するので、コマ１０によって物品Ｗを挾持することができる。そのため、ワンタッチで物品Ｗを吊下させることができる。
【００４７】
この場合、各コマ１０の長大区間Ｓａの少なくとも互いに接触可能な部位が、軸間線Ｑより上側に位置した状態で、上側に行くに従い距離Ｄが漸次大きくなる弧面を有して形成されているので、物品Ｗが自重により下がろうとしても、弧面が徐々に物品Ｗに食い込んでいくことから、物品Ｗの挾持を確実にすることができる。コマ１０の外周１１にローレット１７が形成されているので、物品Ｗとコマ１０との摩擦抵抗を大きくすることができ、物品Ｗの保持を確実にすることができる。
【００４８】
一方、物品ＷをクリップＣから取外すときは、物品Ｗを引っ張れば良い。この際、本体１の先端部２には開く方向の力が作用するが、本体１自体がバネ部材３で形成されているので、言い換えれば、本体１自体がバネ部材３で構成され、バネ部材３は先端部２が互いに離間して対峙する対峙位置を基点として弾性変形により拡開可能になっているので、本体１の先端部２自体がその付勢力に抗して開くことから、容易に物品Ｗを取外すことができる。この場合、コマ１０に作用する力が直接的にバネ部材３に作用するので、従来のように本体１に無理な力がかかることがない。特に、物品Ｗを取外す際に、コマ１０同士が離間してコマ１０が回転しても、各コマ１０は回転対称形で互いに鏡面対称の関係にあるので、接触位置が異なってもコマ１０同士の相対的な配置関係を保持することができる。
【００４９】
これにより、第２の実施の形態に係るクリップＣによっても、物品Ｗの吊下，取外しをワンタッチで行うことができる。また、本体１自体を一対のバネ部材３で構成したので、従来に比較して、構成部材が少なくてすみ、構造を簡易にしてシンプルにし、コストダウンを図ることができる。
【００５０】
次に、図７に示す本発明の第３の実施の形態に係るクリップＣについて説明する。この第３の実施の形態に係るクリップＣも、衣類やタオル等の物品Ｗを挟む洗濯挟みとして構成されている。第３の実施の形態に係るクリップＣは、上記第２の実施の形態に係るクリップＣと略同様に形成されるが、第２の実施の形態と異なって、コマ１０が、軸線Ｐに直交する平面から見て、一辺が直線の正四角形で形成されている。これにより、長大区間Ｓａは、四角形の頂点の左右にまたがって形成され、等角度の９０°間隔で設けられている。この第３の実施の形態に係るコマ１０においても、上記と同様の作用，効果を奏する。
【００５１】
図８には、本発明の第４の実施の形態に係るクリップＣを示す。この第４の実施の形態に係るクリップＣも、衣類やタオル等の物品Ｗを挟む洗濯挟みとして構成されている。第４の実施の形態に係るクリップＣは、第２及び第３の実施の形態に係るクリップＣと、本体１や本体１に対するコマ１０の支持構造は同様に構成されているが、コマ１０の構成が異なっている。この第４の実施の形態に係るクリップＣにおいて、一対のコマ１０は軸線Ｐに直交する平面から見て回転対称形に形成されているが、一対のコマ１０には、その外周１１に、夫々、柔軟性の弾性部材からなり物品Ｗに弾接する複数の突条２０が突設されている。突条２０は、例えば、シリコーン樹脂で形成されており、軸線Ｐ方向に沿って３列設けられるとともに、各列の突条２０は、周方向に沿って所定間隔で列設され、一対の各コマ１０同士が噛合できるように形成されている。即ち、上記の長大区間Ｓａ及び長小区間Ｓｂを有するタイプのコマ１０とは異なり、物品Ｗへの突条２０の弾接により物品Ｗを保持するものである。
【００５２】
従って、この第４の実施の形態に係り洗濯挟みとして構成されるクリップＣに、衣類やタオル等の物品Ｗを吊下するときは、上記と同様に、物品Ｗを、一対のコマ１０の外周１１間に吊下方向下側から差込む。これにより、コマ１０は回動してこの物品Ｗを受け入れ、物品Ｗがコマ１０の外周１１間に差込まれる。この場合、コマ１０は、３６０°回転可能になっているとともに、突条２０が弾性変形するので、物品Ｗを受け入れることができる。そして、手を放すと、物品Ｗの自重により、一対のコマ１０は、夫々、自在に回動するが、突条２０が物品Ｗに弾接しているので、物品Ｗとの摩擦抵抗により、弾性変形して延びるようになることからこのコマ１０によって物品Ｗを挾持することができる。そのため、ワンタッチで物品Ｗを吊下させることができる。
【００５３】
一方、物品ＷをクリップＣから取外すときは、物品Ｗを引っ張れば良い。この際、本体１の先端部２には開く方向の力が作用するが、本体１自体がバネ部材３で形成されているので、言い換えれば、本体１自体がバネ部材３で構成され、バネ部材３は先端部２が互いに離間して対峙する対峙位置を基点として弾性変形により拡開可能になっているので、本体１の先端部２自体がその付勢力に抗して開くことから、容易に物品Ｗを取外すことができる。この場合、コマ１０に作用する力が直接的にバネ部材３に作用するので、従来のように本体１に無理な力がかかることがない。
【００５４】
これにより、第４の実施の形態に係るクリップＣによっても、物品Ｗの吊下，取外しをワンタッチで行うことができる。また、本体１自体を一対のバネ部材３で構成したので、従来に比較して、構成部材が少なくてすみ、構造を簡易にしてシンプルにし、コストダウンを図ることができる。
【００５５】
図９には、本発明の第５の実施の形態に係るクリップＣを示す。この第５の実施の形態に係るクリップＣも、衣類やタオル等の物品Ｗを挟む洗濯挟みとして構成されている。第５の実施の形態に係るクリップＣは、第４の実施の形態に係るクリップＣと略同様に構成され、一対のコマ１０の外周１１には、夫々、柔軟性の弾性部材からなり物品Ｗに弾接する複数の突条２０が突設されているが、第４の実施の形態に係るクリップＣとは、この突条２０の形態が異なっている。第５の実施の形態に係るクリップＣにおいて、一対のコマ１０の外周１１に設けた突条２０は、例えば、シリコーン樹脂で形成されており、周方向に沿って多数突設され、一対のコマ１０間で互いに絡み合って係合する比較的細くて長く形成されている。これによっても、第４の実施の形態に係るクリップＣと同様の作用，効果を奏する。
【００５６】
図１０には、本発明の実施の形態に係る吊下具Ｋを示している。この吊下具Ｋは、洗濯物を干すときに使用するハンガーであり、フック部材で吊下される基体３０を備え、この基体３０に、クリップＣを吊下部材３１を介して複数吊下したものである。実施の形態では、クリップＣは第１の実施の形態に係るクリップＣが用いられている。複数のクリップＣで物品Ｗを保持できるので、保持を確実にすることができる。クリップＣの作用，効果は上記と同様である。
【００５７】
図１１には、本発明の別の実施の形態に係る吊下具Ｋを示している。この吊下具Ｋは、衣服などを吊下するハンガーであり、フック部材で吊下される基体３０を備え、この基体３０に、クリップＣを直接所定間隔で一対吊下したものである。実施の形態では、クリップＣは第１の実施の形態に係るクリップＣが用いられている。一対のクリップＣで、例えば、物品Ｗとして、ズボン，ネクタイ，靴下などを保持できるので、保持を確実にすることができる。クリップＣの作用，効果は上記と同様である。
【００５８】
尚、上記の実施の形態に係るクリップＣにおいて、本体１のバネ部材３の材質は、金属に限定されるものではなく、例えば、樹脂，カーボンファイバー等どのような材質のものを用いてもよい。また、本体１のバネ部材３の形態は上述したものに限定されるものではなく、即ち、図１２（ａ）に示す一部を切欠いた円形リング状のものに限定されるものではなく、図１２（ｂ）に示すように、一部を切欠いた横長の楕円リング状のもの、図１２（ｃ）に示すように、一部を切欠いた縦長の楕円リング状のもの、図１２（ｄ）に示すように、一部を切欠いた横長の矩形リング状のもの、図１２（ｅ）に示すように、一部を切欠いた扇形リング状のもの、図１２（ｆ）に示すように、一部を切欠いた台形リング状のもの等、どのような形状に形成しても良く、適宜変更して差支えない。
【００５９】
また、上記の第１の実施の形態に係るクリップＣに関し、コマ１０の形状は上述したものに限定されるものではなく、図１３（ａ）に示すように、第１の実施の形態に係る船形のコマ１０とは異なる形状の船形状のもの、図１３（ｂ）に示すように、円形のもの、１３（ｃ）に示すように、半円形のもの、図１３（ｄ）に示すように、水滴形のもの、図１３（ｅ）に示すように、三日月形のもの、図１３（ｆ）に示すように、ノの字形状のもの等、どのような形状に形成しても良く、適宜変更して差支えない。
【００６０】
更に、上記の第２及び第３の実施の形態に係るクリップＣに関し、コマ１０の形状は上述したものに限定されるものではなく、図１４（ａ）に示すように、４方手裏剣形状の先端部２側に長大区間Ｓａを設けたもの、図１４（ｂ）に示すように、３方手裏剣形状の先端部２側に長大区間Ｓａを設けたもの、図１４（ｃ）に示すように、４枚花びら形状の各花びらの外周１１に長大区間Ｓａを設けたもの等、回転対称のものであればどのような形状に形成しても良く、適宜変更して差支えない。
【００６１】
更にまた、上記実施の形態において、コマ１０を本体１に回動可能に軸支する手段は、上述したものに限定されるものではなく、図１５（ａ）に示すように、コマ１０に軸線Ｐを有した軸体１３を設ける一方、バネ部材３の先端部２に軸体１３が挿通される軸受部１４を設ける構成とし、あるいは、図１５（ｂ）に示すように、バネ部材３の先端部２を折曲形成して軸体１３を一体形成し、コマ１０に軸受部１４を形成して、これを軸体１３に軸支しても良く、適宜変更して差支えない。
【００６２】
尚また、上記の第４及び第５の実施の形態に係るクリップＣにおいては、長大区間Ｓａ及び長小区間Ｓｂを有しないコマ１０において、柔軟性の弾性部材からなり物品Ｗに弾接する複数の突条２０を設けた例を示したが、必ずしもこれに限定されるものではなく、第１乃至第３の実施の形態に係るクリップＣのように、長大区間Ｓａ及び長小区間Ｓｂを有するコマ１０に柔軟性の弾性部材からなり物品Ｗに弾接する複数の突条２０を設けても良く、適宜変更して差支えない。
【００６３】
また、上記実施の形態に係る吊下具Ｋにおいては、クリップＣとして第１の実施の形態に係るクリップＣを用いた例を示したが、必ずしもこれに限定されるものではなく、第２乃至第５の実施の形態に係るクリップＣはもとより本発明が適用されるクリップであればどのような形態のクリップを用いても良く、適宜変更して差支えない。また、用いるクリップＣの数や基体３０への吊下させ方など適宜変更して良いことは勿論である。
【００６４】
そしてまた、上記実施の形態では、本発明を洗濯挟みや洗濯物のハンガー、あるいは、衣服のハンガーに適用した例を示したが、必ずしもこれに限定されるものではなく、物品Ｗとして、例えば、布や紙等の各種シート等比較的厚さの薄い物品Ｗを吊下するクリップや吊下具に本発明を適用しても良いことは勿論である。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００６５】
Ｃ  クリップ
Ｋ  吊下具
Ｗ  物品
１  本体
２  先端部
３  バネ部材
４  吊下部材
１０  コマ
１１  外周
Ｐ  軸線
Ｑ  軸間線
Ｌ  コマ１０の軸線Ｐ同士を結んだ軸間線Ｑの距離
Ｄ  コマ１０の軸線Ｐから外周１１までの距離
Ｓａ  長大区間
Ｓｂ  長小区間
１２  凹所
１３  軸体
１４  軸受部
１５  錘
１６  ストッパ
１６ａ  外側ストッパ
１６ｂ  内側ストッパ
１７  ローレット
２０  突条
３０  基体
３１  吊下部材
【図１】
2020185212.tif 000003
【図２】
2020185212.tif 000004
【図３】
2020185212.tif 000005
【図４】
2020185212.tif 000006
【図５】
2020185212.tif 000007
【図６】
2020185212.tif 000008
【図７】
2020185212.tif 000009
【図８】
2020185212.tif 000010
【図９】
2020185212.tif 000011
【図１０】
2020185212.tif 000012
【図１１】
2020185212.tif 000013
【図１２】
2020185212.tif 000014
【図１３】
2020185212.tif 000015
【図１４】
2020185212.tif 000016
【図１５】
2020185212.tif 000017
【図１６】
2020185212.tif 000018
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
互いに離間して対峙する一対の先端部を有するとともに該一対の先端部を下にして吊下される本体と、該本体の各先端部に夫々互いに外周を対面させて吊下方向に直交する軸線を中心に回動可能に支持された一対のコマと備え、該一対のコマを、該コマの外周間に物品を吊下方向下側から差込み可能且つ該コマの外周間に差込まれた物品の自重により回動させられて該物品を挾持可能に形成したクリップにおいて、
上記本体を、一部を切欠いたリング状に形成され互いに離間して対峙し上記コマを支持する一対の先端部を有した弾性変形可能なバネ部材を備えて構成し、
上記一対のコマを、夫々、上記軸線に直交する平面から見て互いに鏡面対称の関係になる同一の大きさで同一形状に形成し、各コマの軸線同士を結んだ軸間線の距離をＬとしたとき、上記軸間線より上側で該各コマの外周が夫々互いに接触可能になるように、該各コマの外周に該コマの軸線からの距離Ｄが、（１／２）Ｌ＜Ｄになる長大区間を形成し、当該長大区間を除く所定区間を、Ｄ≦（１／２）Ｌになる長小区間とし、
上記コマの回動範囲を規制するストッパを設け、
上記コマに、上記バネ部材の先端部が臨み上記軸線が貫通する凹所を形成し、上記軸線に平行で上記凹所を形成する壁面を、上記バネ部材に当接して上記コマの回動範囲を規制するストッパとして構成したことを特徴とするクリップ。
【請求項２】
上記一対のコマを、夫々、上記軸線に直交する平面から見て回転対称形に形成し、上記軸線を該回転対称形の中心に位置させ、上記長大区間を等角度関係で複数設けたことを特徴とする請求項１記載のクリップ。
【請求項３】
上記各コマの長大区間の少なくとも互いに接触可能な部位を、該部位が上記軸間線より上側に位置した状態で、上側に行くに従い距離Ｄが漸次大きくなる弧面を有して形成したことを特徴とする請求項１または２記載のクリップ。
【請求項４】
上記一対のコマに、夫々、回動を付勢する錘を設けたことを特徴とする請求項１乃至３何れかに記載のクリップ。
【請求項５】
上記一対のコマの外周に、夫々、ローレットを形成したことを特徴とする請求項１乃至４何れかに記載のクリップ。
【請求項６】
上記一対のコマの外周に、夫々、柔軟性の弾性部材からなり物品に弾接する複数の突条を突設したことを特徴とする請求項１乃至４何れかに記載のクリップ。
【請求項７】
吊下される基体を備え、該基体に、上記請求項１乃至６何れかに記載のクリップを複数吊下したことを特徴とする吊下具。